(57)【要約】【課題】表示品位の劣化を抑制することが可能な表示装置を提供する。【解決手段】第１サブ表示領域及び第２サブ表示領域を備えた表示パネルと、前記表示パネルを照明する照明装置と、を備え、照明装置は、前記第１サブ表示領域と対向する第１光源と、前記第２サブ表示領域と対向する第２光源と、前記第１光源及び前記第２光源と前記表示パネルとの間に位置する仕切り部材と、を備え、前記仕切り部材は、前記第１光源を囲む第１側面と、前記第２光源を囲む第２側面と、前記第１側面及び前記第２側面を接続する接続部とを備え、前記接続部は、曲面、２以上の平面、及び、曲面と平面との組み合わせ、のいずれかによって形成されている、表示装置。【選択図】図７
2020118994.tif 000002
【特許請求の範囲】
【請求項１】
第１サブ表示領域及び第２サブ表示領域を備えた表示パネルと、
前記表示パネルを照明する照明装置と、を備え、
照明装置は、
前記第１サブ表示領域と対向する第１光源と、
前記第２サブ表示領域と対向する第２光源と、
前記第１光源及び前記第２光源と前記表示パネルとの間に位置する仕切り部材と、を備え、
前記仕切り部材は、前記第１光源及び前記第２光源をそれぞれ囲む側面と、前記表示パネルと対向する上面と、前記上面に位置し光拡散性または光吸収性を有する調光部と、を備えた、表示装置。
【請求項２】
前記調光部は、光拡散部材によって形成されている、請求項１に記載の表示装置。
【請求項３】
さらに、前記仕切り部材と前記表示パネルとの間に位置する光拡散層を備え、
前記調光部のヘイズ値は、前記光拡散層のヘイズ値より小さい、請求項２に記載の表示装置。
【請求項４】
前記調光部は、前記上面から前記第１光源及び前記第２光源と対向する位置に延在したシート部材である、請求項１乃至３のいずれか１項に記載の表示装置。
【請求項５】
前記調光部は、光吸収部材によって形成されている、請求項１に記載の表示装置。
【請求項６】
前記上面は、平面視において、第１方向に延出した第１稜部と、第２方向に延出した第２稜部と、を備え、
前記調光部は、前記第１稜部及び前記第２稜部の少なくとも一部に位置している、請求項１に記載の表示装置。
【請求項７】
前記調光部は、前記第１稜部及び前記第２稜部の全面に配置される、または、前記第１稜部及び前記第２稜部の少なくとも一方においてドット状またはストライプ状に形成されている、請求項６に記載の表示装置。
【請求項８】
前記ドット状またはストライプ状の前記調光部は、周期的に密度が異なる、請求項７に記載の表示装置。
【請求項９】
第１サブ表示領域及び第２サブ表示領域を備えた表示パネルと、
前記表示パネルを照明する照明装置と、を備え、
照明装置は、
前記第１サブ表示領域と対向する第１光源と、
前記第２サブ表示領域と対向する第２光源と、
前記第１光源及び前記第２光源と前記表示パネルとの間に位置する仕切り部材と、を備え、
前記仕切り部材は、平面視において、第１方向にそれぞれ延出した第１稜部及び第３稜部と、第２方向に延出し前記第１稜部及び前記第３稜部とそれぞれ交差する第２稜部と、を備え、
前記第１稜部と前記第２稜部との第１交差部及び前記第３稜部と前記第２稜部との第２交差部に凹部を有し、前記第１交差部と前記第２交差部との間に凸部を有する、表示装置。
【発明の詳細な説明】
【技術分野】
【０００１】
この実施形態は、表示装置に関する。
【背景技術】
【０００２】
表示装置の一つとして、液晶表示パネルと、その直下に光源を備えたバックライトと、を備えた構成が実用化されている。一例では、バックライトにおいて隣接する光源がいずれも点灯した際に、照明光のトータルの強度をほぼ均一化する技術が提案されている。また、他の例では、ヘッドアップディスプレイにおいて、表示される表示像の範囲を判断し、対応する領域の光源を点灯させ、消費電力を低減し、発熱を抑制する技術が提案されている。また、さらに他の例では、直下型バックライトにおいて、ホルダーの角錐状孔が発光素子側から発光面側に階段状に広がる形状に形成され、輝度ムラを低減する技術が提案されている。  
所定の間隔で複数の光源を並べた光源アレイを駆動させた際に、隣接する光源間において低輝度の暗線や高輝度の明線などの輝度ムラを抑制することが要望される。また、このような照明装置を備えた表示装置においては、照明装置の輝度ムラに起因した表示品位の劣化を抑制することが要望される。
【先行技術文献】
【特許文献】
【０００３】
【特許文献１】米国特許第８４３４８８７号明細書
【特許文献２】特開２００５−１５０６号公報
【特許文献３】特開２００１−２８１６５６号公報
【発明の概要】
【発明が解決しようとする課題】
【０００４】
本実施形態の目的は、表示品位の劣化を抑制することが可能な表示装置を提供することにある。
【課題を解決するための手段】
【０００５】
本実施形態によれば、第１サブ表示領域及び第２サブ表示領域を備えた表示パネルと、前記表示パネルを照明する照明装置と、を備え、照明装置は、前記第１サブ表示領域と対向する第１光源と、前記第２サブ表示領域と対向する第２光源と、前記第１光源及び前記第２光源と前記表示パネルとの間に位置する仕切り部材と、を備え、前記仕切り部材は、前記第１光源を囲む第１側面と、前記第２光源を囲む第２側面と、前記第１側面及び前記第２側面を接続する接続部とを備え、前記接続部は、曲面、２以上の平面、及び、曲面と平面との組み合わせ、のいずれかによって形成されている、表示装置が提供される。
【０００６】
本実施形態によれば、第１サブ表示領域及び第２サブ表示領域を備えた表示パネルと、前記表示パネルを照明する照明装置と、を備え、照明装置は、前記第１サブ表示領域と対向する第１光源と、前記第２サブ表示領域と対向する第２光源と、前記第１光源及び前記第２光源と前記表示パネルとの間に位置する仕切り部材と、を備え、前記仕切り部材は、前記第１光源及び前記第２光源をそれぞれ囲む側面と、前記表示パネルと対向する上面と、前記上面に位置し光拡散性または光吸収性を有する調光部と、を備えた、表示装置が提供される。
【０００７】
本実施形態によれば、第１サブ表示領域及び第２サブ表示領域を備えた表示パネルと、前記表示パネルを照明する照明装置と、を備え、照明装置は、前記第１サブ表示領域と対向する第１光源と、前記第２サブ表示領域と対向する第２光源と、前記第１光源及び前記第２光源と前記表示パネルとの間に位置する仕切り部材と、を備え、前記仕切り部材は、平面視において、第１方向にそれぞれ延出した第１稜部及び第３稜部と、第２方向に延出し前記第１稜部及び前記第３稜部とそれぞれ交差する第２稜部と、を備え、前記第１稜部と前記第２稜部との第１交差部及び前記第３稜部と前記第２稜部との第２交差部に凹部を有し、前記第１交差部と前記第２交差部との間に凸部を有する、表示装置が提供される。
【図面の簡単な説明】
【０００８】
【図１】図１は、本実施形態に係る表示装置の構成を示すブロック図である。
【図２】図２は、本実施形態に適用可能な照明装置及び表示パネルの一構成例を示す図である。
【図３】図３は、ローカルディミング制御が適用される表示装置の一構成例を示すブロック図である。
【図４】図４は、本実施形態の表示装置の分解斜視図である。
【図５】図５は、図４に示した照明装置に適用される仕切り部材の一構成例を示す平面図である。
【図６】図６は、照明装置において隣接する光源が同時に点灯した際の輝度分布を説明するための図である。
【図７】図７は、図５のＡ−Ｂ線で切断した仕切り部材の一構成例を示す断面図である。
【図８】図８は、図５のＡ−Ｃ線で切断した仕切り部材の一構成例を示す断面図である。
【図９】図９は、図５のＡ−Ｂ線で切断した仕切り部材の他の構成例を示す断面図である。
【図１０Ａ】図１０Ａは、図５のＡ−Ｂ線で切断した仕切り部材の他の構成例を示す断面図である。
【図１０Ｂ】図１０Ｂは、図５のＡ−Ｂ線で切断した仕切り部材の他の構成例を示す断面図である。
【図１１】図１１は、図５のＡ−Ｂ線で切断した仕切り部材の他の構成例を示す断面図である。
【図１２】図１２は、仕切り部材の他の構成例を示す分解斜視図である。
【図１３】図１３は、図５のＤ−Ｅ線で切断した仕切り部材の一構成例を示す断面図である。
【図１４】図１４は、図５のＡ−Ｂ線で切断した仕切り部材の他の構成例を示す断面図である。
【図１５】図１５は、図５のＡ−Ｂ線で切断した仕切り部材の他の構成例を示す断面図である。
【図１６】図１６は、図５のＡ−Ｂ線で切断した仕切り部材の他の構成例を示す断面図である。
【図１７】図１７は、稜部における調光部の配置例を示す平面図である。
【図１８】図１８は、稜部における調光部の他の配置例を示す平面図である。
【図１９】図１９は、稜部における調光部の他の配置例を示す平面図である。
【図２０】図２０は、稜部における調光部の他の配置例を示す平面図である。
【図２１】図２１は、本実施形態における表示装置の適用例を示す図である。
【発明を実施するための形態】
【０００９】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【００１０】
まず、本実施形態に係る表示装置について詳細に説明する。  
図１は、本実施形態に係る表示装置ＤＳＰの構成を示すブロック図である。  
図１に示すように、表示装置ＤＳＰは、制御部１０と、表示パネルＰＮＬと、表示パネルＰＮＬを照明する照明装置ＩＬと、を備えている。制御部１０は、信号処理部２０と、表示パネルＰＮＬの駆動を制御する表示パネル駆動部４０と、照明装置ＩＬの駆動を制御する照明装置制御部６０と、を備えている。
【００１１】
信号処理部２０は、画像出力部１１から画像の入力信号ＳＧＩが入力され、表示装置ＤＳＰの各部に出力信号ＳＧＯを送り、表示装置ＤＳＰの動作を制御する。信号処理部２０は、表示パネル駆動部４０及び照明装置制御部６０と接続されている。ここで、信号処理部２０は、表示パネルＰＮＬ及び照明装置ＩＬの動作を制御する演算処理部に相当する。信号処理部２０は、入力信号ＳＧＩを処理して、出力信号ＳＧＯ及び照明装置制御信号ＳＧＩＬを生成する。信号処理部２０は、生成した出力信号ＳＧＯを表示パネル駆動部４０に出力し、生成した照明装置制御信号ＳＧＩＬを照明装置制御部６０に出力する。
【００１２】
表示パネルＰＮＬは、信号処理部２０から出力された出力信号ＳＧＯに基づいて画像を表示する。表示パネルＰＮＬは、マトリクス状に配置された複数の画素ＰＸを有している。後述するが、各画素ＰＸは、複数の副画素から構成されており、各副画素にはスイッチング素子等が配置されている。
【００１３】
表示パネル駆動部４０は、信号出力回路４１及び走査回路４２を備えている。信号出力回路４１は、信号線ＳＬを介して表示パネルＰＮＬと電気的に接続されている。走査回路４２は、走査線ＧＬを介して表示パネルＰＮＬと電気的に接続されている。表示パネル駆動部４０は、信号出力回路４１によって映像信号を保持し、順次、表示パネルＰＮＬに出力する。また、表示パネル駆動部４０は、走査回路４２によって、表示パネルＰＮＬにおける副画素を選択し、副画素の動作（光透過率）を制御するためのスイッチング素子のオン及びオフを制御する。
【００１４】
図２は、本実施形態に適用可能な照明装置ＩＬ及び表示パネルＰＮＬの一構成例を示す図である。図中の第１方向Ｘ、第２方向Ｙ、及び、第３方向Ｚは、互いに直交しているが、９０度以外の角度で交差していても良い。第１方向Ｘ及び第２方向Ｙで規定されるＸ−Ｙ平面は、表示パネルＰＮＬや照明装置ＩＬ等の光学部品の主面と平行であり、第３方向Ｚは、照明装置ＩＬ及び表示パネルＰＮＬの積層方向あるいは照明装置ＩＬから出射された光の進行方向に相当する。
【００１５】
図示した例では、表示パネルＰＮＬは、液晶表示パネルであり、第１基板ＳＵＢ１と、第２基板ＳＵＢ２と、第１基板ＳＵＢ１と第２基板ＳＵＢ２との間に保持された液晶層ＬＣと、を備えている。偏光板ＰＬ１は、第１基板ＳＵＢ１の背面側に位置している。偏光板ＰＬ２は、第２基板ＳＵＢ２の前面側に位置している。例えば、偏光板ＰＬ１及び偏光板ＰＬ２のそれぞれの吸収軸はＸ−Ｙ平面内において直交している。なお、ここでは、表示パネルＰＮＬから見て照明装置ＩＬが配置されている側を背面側、表示パネルＰＮＬの背面側とは反対側を前面側と定義する。
【００１６】
表示パネルＰＮＬは、画像を表示する表示領域ＤＡを備えている。表示パネルＰＮＬは、表示領域ＤＡにおいて、第１方向Ｘ及び第２方向Ｙにマトリクス状に配置された複数の画素ＰＸを備えている。画素ＰＸは、例えば、第１副画素ＳＰＸ１と、第２副画素ＳＰＸ２と、第３副画素ＳＰＸ３と、を含んでいる。第１副画素ＳＰＸ１には、例えば、赤色のカラーフィルタが配置され、第１副画素ＳＰＸ１は赤色を表示する。第２副画素ＳＰＸ２には、例えば、緑色のカラーフィルタが配置され、第２副画素ＳＰＸ２は緑色を表示する。第３副画素ＳＰＸ３には、例えば、青色のカラーフィルタが配置され、第３副画素ＳＰＸ３は青色を表示する。
【００１７】
第１基板ＳＵＢ１は、複数の走査線ＧＬ（ゲート線ともいう）、及び、走査線ＧＬと交差する複数の信号線ＳＬ（データ配線あるいはソース線ともいう）を備えている。各走査線ＧＬは、表示領域ＤＡの外側に引き出され、走査回路４２に接続されている。各信号線ＳＬは、表示領域ＤＡの外側に引き出され、信号出力回路４１に接続されている。走査回路４２及び信号出力回路４１は、表示領域ＤＡに画像を表示するための画像データに基づいて制御される。
【００１８】
各副画素は、スイッチング素子ＳＷ（例えば薄膜トランジスタ）、画素電極ＰＥ、共通電極ＣＥなどを備えている。スイッチング素子ＳＷは、走査線ＧＬ及び信号線ＳＬと電気的に接続されている。画素電極ＰＥは、スイッチング素子ＳＷと電気的に接続されている。共通電極ＣＥは、複数の画素電極ＰＥと対向している。画素電極ＰＥ及び共通電極ＣＥは、液晶層ＬＣを駆動する駆動電極として機能する。画素電極ＰＥ及び共通電極ＣＥは、例えば、インジウム錫酸化物（ＩＴＯ）やインジウム亜鉛酸化物（ＩＺＯ）などの透明導電材料によって形成されている。
【００１９】
照明装置ＩＬは、表示パネルＰＮＬの背面に配置され、表示パネルＰＮＬに向けて光を照射する。照明装置ＩＬは、表示領域ＤＡに対向する照明領域ＩＡを備えている。照明装置ＩＬは、照明領域ＩＡにおいて、マトリクス状に配置された光源ＬＳを備えている。光源ＬＳは、例えば白色に発光する発光ダイオードであるが、これに限定されるものではない。白色に発光する光源ＬＳとしては、例えば、赤色、緑色、及び、青色にそれぞれ発光する発光ダイオードを１チップ化したものや、青色または近紫外に発光する発光ダイオードと蛍光体とを組み合わせたものなどが適用可能である。このような光源ＬＳは、供給される電流の大きさに応じて輝度を制御することができる。
【００２０】
一例では、１個の光源ＬＳは、ｍ＊ｎ個の画素ＰＸからなるサブ表示領域と対向するように配置されている。但し、ｍ及びｎは正の整数であり、ｍは第１方向Ｘに並んだ画素ＰＸの個数に相当し、ｎは第２方向Ｙに並んだ画素ＰＸの個数に相当する。光源ＬＳの各々について、点灯および消灯は、個別に制御することができる。このため、照明装置ＩＬは、照明領域ＩＡにおいて、点灯および消灯を個別に制御可能なサブ照明領域を形成することができる。サブ照明領域は、少なくとも１個の光源ＬＳを備えている。サブ照明領域は、Ｘ−Ｙ平面内において、第１方向Ｘに延びた帯状、第２方向Ｙに延びた帯状、第１方向Ｘ及び第２方向Ｙに並んだマトリクス状など種々の形状に形成することができる。
【００２１】
次に、ローカルディミング制御について説明する。
図３は、ローカルディミング制御が適用される表示装置ＤＳＰの一構成例を示すブロック図である。照明装置ＩＬは、照明領域ＩＡにおいて、マトリクス状に配置された複数のサブ照明領域ＩＡ１１、ＩＡ１２…を備えている。表示パネルＰＮＬは、表示領域ＤＡにおいて、マトリクス状に配置された複数のサブ表示領域ＤＡ１１、ＤＡ１２…を備えている。図２を参照して説明した通り、サブ照明領域の各々は、１個以上の光源を備えている。サブ表示領域の各々は、サブ照明領域と対向し、ｍ＊ｎ個の画素ＰＸを備えている。サブ照明領域の輝度は、光源に供給される電流値に応じて制御することができる。このため、サブ照明領域の各々の光源の電流値を変えることで、サブ照明領域毎に輝度を変えることができる。各サブ照明領域から出射された光は、対向するサブ表示領域を照明する。このため、表示領域ＤＡにおいて、階調が低い画素を多く含むサブ表示領域を照明するサブ照明領域の輝度は低く設定し、階調が高い画素を多く含むサブ表示領域を照明するサブ照明領域の輝度は高く設定することで、表示領域ＤＡに表示された画像のコントラスト比を向上することができる。
【００２２】
以下、制御の一例について簡単に説明する。図１に示すように、信号処理部２０には、表示する画像の情報である入力信号ＳＧＩが外部の画像出力部１１から入力される。信号処理部２０は、タイミング生成部２１、画像処理部２２、画像解析部２３、光源駆動値決定部２４を備えている。
【００２３】
タイミング生成部２１は、表示パネルＰＮＬが表示する画像と、照明装置ＩＬの駆動を同期する。すなわち、タイミング生成部２１は、入力信号ＳＧＩを処理することで、１フレーム期間ごとに表示パネルＰＮＬと照明装置制御部６０とのタイミングを同期するための信号を表示パネル駆動部４０及び照明装置制御部６０へ送信する。
【００２４】
画像処理部２２は、照明装置ＩＬの駆動に応じて、表示パネルＰＮＬに画像を表示するための処理を行う。すなわち、画像処理部２２は、入力信号ＳＧＩを処理することで、第１乃至第３副画素のそれぞれの表示階調を決定するための出力信号を生成し、光源駆動に応じた画像を表示するように、表示パネル駆動部４０に出力する表示データを処理する。画像解析部２３は、入力信号ＳＧＩを処理することで、サブ照明領域ＩＡ１１、ＩＡ１２…ごとに表示する画像を解析する。光源駆動値決定部２４は、画像解析部２３において解析されたデータに基づいて各光源の駆動値を決定し、副画素ごとの輝度の情報を画像処理部２２に送信し、また、照明装置制御部６０を制御する。
【００２５】
図４は、本実施形態の表示装置ＤＳＰの分解斜視図である。  
照明装置ＩＬは、表示パネルＰＮＬの背面側に位置している。照明装置ＩＬは、複数の光源ＬＳと、複数の光源ＬＳと表示パネルＰＮＬとの間に位置した仕切り部材ＰＴと、仕切り部材ＰＴと表示パネルＰＮＬとの間に位置した光拡散層ＤＰと、を備えている。  
複数の光源ＬＳは、第１方向Ｘ及び第２方向Ｙにマトリクス状に配置されている。これらの光源ＬＳは、回路基板ＬＦＰＣにそれぞれ実装されている。
【００２６】
仕切り部材ＰＴは、各光源ＬＳからの出射光を光拡散層ＤＰに向けて導く導光部ＬＧを備えている。導光部ＬＧは、光源ＬＳの各々と対向して、第１方向Ｘ及び第２方向Ｙにマトリクス状に配置されている。１つの導光部ＬＧは、１つの光源ＬＳと対向している。ここで、１つの光源ＬＳは、ＬＥＤ（Ｌｉｇｈｔ  Ｅｍｉｔｔｉｎｇ  Ｄｉｏｄｅ）等の少なくとも１つの発光素子を含んでいる。
以下、１つの導光部ＬＧに着目して、その構造について説明する。  
導光部ＬＧは、光源ＬＳと対向する開口ＯＰ１と、光拡散層ＤＰと対向する開口ＯＰ２と、光源ＬＳを囲む側面Ｐ１０と、を備えている。図示した例では、導光部ＬＧは、１個の光源ＬＳを囲む４つの側面Ｐ１０を備えている。また、開口ＯＰ１及びＯＰ２は、いずれも四角形であり、開口ＯＰ１の面積は、開口部ＯＰ２の面積よりも小さい。なお、一例では、開口部ＯＰ１の面積は光源ＬＳの面積と同等以上であり、また、開口部ＯＰ１の形状は光源ＬＳの外形に応じて適宜決定され、光源ＬＳは開口部ＯＰ１に嵌め込まれている。このような導光部ＬＧは、光源ＬＳから光拡散層ＤＰに向かって広がる角錐台状に形成されている。
【００２７】
なお、ここでは、１つの光源ＬＳを囲む側面Ｐ１０の個数が４つである場合について説明したが、この例に限らない。また、開口部ＯＰ１及びＯＰ２の形状について、四角形である場合について説明したが、円形、楕円形、他の多角形などのいずれの形状であっても良い。
【００２８】
図５は、図４に示した照明装置ＩＬに適用される仕切り部材ＰＴの一構成例を示す平面図である。  
ここでは、光源ＬＳ１及びＬＳ２にそれぞれ対応した導光部ＬＧ１及びＬＧ２に着目して、仕切り部材ＰＴの構造について説明する。仕切り部材ＰＴは、光源ＬＳ１を囲む側面Ｐ１１乃至Ｐ１４と、光源ＬＳ２を囲む側面Ｐ２１乃至Ｐ２４と、側面Ｐ１１及びＰ２１を接続する接続部Ｐ３と、を備えている。側面Ｐ１１及びＰ２１は、第２方向Ｙに並んでいる。つまり、ここでの接続部Ｐ３とは、４つの側面Ｐ１１乃至Ｐ１４のうちの１つ側面Ｐ１１と、４つの側面Ｐ２１乃至Ｐ２４のうちの１つの側面Ｐ２１と、を接続するものである。
【００２９】
仕切り部材ＰＴは、平面視において、第１方向Ｘに延出した稜部ＲＧ１と、第２方向Ｙに延出した稜部ＲＧ２と、を備えている。１つの稜部ＲＧ１は、第１方向Ｘに沿って仕切り部材ＰＴの一端から他端へ連続して延出している。また、１つの稜部ＲＧ２は、第２方向Ｙに沿って仕切り部材ＰＴの一端から他端へ連続して延出している。これらの稜部ＲＧ１及びＲＧ２は互いに交差して格子状に形成されている。上記の接続部Ｐ３は、稜部ＲＧ１に位置している。  
光源ＬＳ１を囲む稜部ＲＧ１及びＲＧ２のそれぞれの一部に着目すると、稜部ＲＧ１の光源ＬＳ１に対応する部分は長さＬ１を有し、稜部ＲＧ２の光源ＬＳ１に対応する部分は長さＬ２を有している。長さＬ１及び長さＬ２は、等しい場合もあり得るし、互いに異なっている場合もあり得る。図示した例では、長さＬ１は長さＬ２より大きいが、長さＬ２が長さＬ１より大きい場合もあり得る。  
なお、ここで、光源ＬＳ１及びＬＳ２は、例えば、それぞれ図３に示したサブ表示領域ＤＡ１１及びＤＡ１２と対応している。このとき、光源ＬＳ１及びＬＳ２の各々は、サブ表示領域ＤＡ１１及びＤＡ１２に画像が表示されるのに同期して、サブ表示領域ＤＡ１１及びＤＡ１２をそれぞれ駆動するための画像データの階調値に応じた輝度で点灯または消灯する。
【００３０】
図６は、照明装置ＩＬにおいて隣接する光源が同時に点灯した際の輝度分布を説明するための図である。図６中の（ａ）は光源ＬＳ１及びＬＳ２、仕切り部材ＰＴ、及び、光拡散層ＤＰを含む概略断面図であり、図６中の（ｂ）は光源ＬＳ１及びＬＳ２、及び、仕切り部材ＰＴを含む概略平面図であり、図６中の（ｃ）は光源ＬＳ１及びＬＳ２が同時に点灯した際に光拡散層ＤＰを透過した光の輝度分布を概略的に示す図である。
【００３１】
光源ＬＳ１のみが点灯した際の輝度分布は、図中に右下がりの斜線で示した通りであり、光源ＬＳ１の直上を含む中央部付近でほぼ均一の輝度となり、光源ＬＳ２との境界Ｂ付近に近づくにしたがってなだらかに輝度が減少する。図示した例では、中央部付近での輝度を１００％としたとき、境界Ｂ付近での輝度は５０％である。光源ＬＳ２のみが点灯した際の輝度分布については、図中に左下がりの斜線で示した通りであり、光源ＬＳ１と同様である。これにより、光源ＬＳ１及びＬＳ２が同時に点灯した際の輝度分布については、図中の実線で囲まれた部分に示した通りであり、光源ＬＳ１及びＬＳ２のそれぞれの直上付近のみならず、境界Ｂにおいてもほぼ１００％の輝度が得られ、輝度の分布を均一化することができる。したがって、光源ＬＳ１及びＬＳ２が同時に点灯した際には、図示したような輝度分布が得られることが望ましい。
【００３２】
一方で、光源ＬＳ１及びＬＳ２のそれぞれの輝度分布について、境界Ｂ付近の輝度が５０％より低い場合、光源ＬＳ１及びＬＳ２が同時に点灯した際に、境界Ｂにおいて１００％より低い輝度となり、結果として、境界Ｂに低輝度の暗線が生じる。  
また、光源ＬＳ１及びＬＳ２のそれぞれの輝度分布について、境界Ｂ付近の輝度が５０％より高い場合、光源ＬＳ１及びＬＳ２が同時に点灯した際に、境界Ｂにおいて１００％より高い輝度となり、結果として、境界Ｂに高輝度の明線が生じる。
【００３３】
各光源の輝度分布は、光源から出射される光の出射角、各導光部ＬＧの位置や高さ、Ｘ−Ｙ平面内における縦横比などの条件によって異なる。また、複数の光源ＬＳが並んだ光源アレイにおいて、隣接する光源ＬＳの境界付近での輝度は、各光源の輝度分布に加えて、隣接する光源ＬＳの間隔、隣接する導光部ＬＧの間隔などの条件によって異なる。このため、照明装置ＩＬにおいてＸ−Ｙ平面内で均一な輝度分布を得る、あるいは、境界Ｂ付近で５０％の輝度を得るためには、照明装置ＩＬを設計する上で、種々の制約を受けることになる。  
一例では、図５に示した照明装置ＩＬにおいて、稜部ＲＧ１及びＲＧ２の双方の直上で暗線または明線となったり、稜部ＲＧ１及びＲＧ２のうちの一方の直上で暗線となり且つ他方の直上で明線となったりすることがあり得る。本実施形態は、このような輝度ムラを抑制すべく、以下に説明する各種構成例を採り得るものである。
【００３４】
図７は、図５のＡ−Ｂ線で切断した仕切り部材ＰＴの一構成例を示す断面図である。図示した構成例は、接続部Ｐ３が曲面で形成された場合に相当する。なお、ここでの曲面とは、楕円面、放物面、球面、非球面などのいずれであっても良い。側面Ｐ１１及びＰ２１は、いずれも平面である。ここで、光源ＬＳ１及びＬＳ２のそれぞれの出射面Ｅ１及びＥ２を含むＸ−Ｙ平面と平行な面を基準面Ｒｆ１としたとき、側面Ｐ１１及びＰ２１は、いずれも基準面Ｒｆ１に対して傾斜した傾斜面である。例えば、側面Ｐ１１の傾斜角θ１１は、側面Ｐ１１と基準面Ｒｆ１とのなす角度に相当し、鋭角である。一方、接続部Ｐ３の傾斜角θ３は、接続部Ｐ３の接線と基準面Ｒｆ１とのなす角度に相当し、鋭角である。傾斜角θ１１は、傾斜角θ３とは異なる。図中に実線で示した例では、側面Ｐ１１の傾斜角θ１１は、接続部Ｐ３の傾斜角θ３１より大きい。また、図中に一点鎖線で示した例では、側面Ｐ１１の傾斜角θ１１は、接続部Ｐ３の傾斜角θ３２より小さい。ここで、側面Ｐ１１の頂部Ｔと側面Ｐ１３の底部Ｃとを結ぶ線分Ｌと、基準面Ｒｆ１とのなす角度θ０は、傾斜角θ１１より小さい。また、角度θ０は、傾斜角θ３１より大きく、傾斜角θ３２より小さい。
【００３５】
図示した例では、側面Ｐ１１及びＰ２１、及び、接続部Ｐ３は一体的に形成されている。これらの側面Ｐ１１及びＰ２１、及び、接続部Ｐ３は、同一材料によって形成され、それぞれ同等の反射率を有する反射面を形成している。このような反射面は、金属層、白色などの高反射率の色の樹脂層などで形成可能である。なお、一例では、側面Ｐ１１と側面Ｐ２１との間は中空であるが、これに限定されるものではない。例えば、壁部の断面形状が図示した側面Ｐ１１及びＰ２１、及び、接続部Ｐ３を有するものであっても良く、この場合、壁部自体が高反射率の金属製あるいは樹脂製であっても良いし、壁部の表面のみに高反射率の金属層あるいは樹脂層が設けられても良い。また、側面Ｐ１１及びＰ２１と、接続部Ｐ３とが異なる材料によって形成されていても良く、この場合、側面Ｐ１１及びＰ２１と、接続部Ｐ３とでは反射率が異なる場合もあり得る。
【００３６】
このような本実施形態によれば、隣接する側面Ｐ１１及びＰ２１を接続する接続部Ｐ３は、側面Ｐ１１とは異なる傾斜角を有する。例えば、接続部Ｐ３が位置する稜部ＲＧ１の直上で暗線が生ずるモードに対しては、傾斜角θ３１が傾斜角θ１１より小さい構成例が有効である。このような構成例では、出射面Ｅ１のほぼ全域から出射された光を稜部ＲＧ１の直上に導くことができる。特に、出射面Ｅ１のうち、側面Ｐ１３の底部Ｃに近接する位置から出射された光は、図中の線分Ｌで示したように、接続部Ｐ３で遮られることなく、その直上に導かれる。このため、稜部ＲＧ１の直上での暗線の発生を抑制することができる。また、傾斜角θ３１が小さい形状の接続部Ｐ３は、基準面Ｒｆ１と平行な平面に近い曲面となる。このため、光拡散層ＤＰで拡散された光のうち、接続部Ｐ３に向かって拡散された光は、接続部Ｐ３によって再び光拡散層ＤＰに向けて正反射される。これにより、暗線の発生を抑制することができる。
【００３７】
また、接続部Ｐ３が位置する稜部ＲＧ１の直上で明線が生ずるモードに対しては、傾斜角θ３２が傾斜角θ１１より大きい構成例が有効である。このような構成例では、接続部Ｐ３は、出射面Ｅ１から出射された光の一部を遮ることができる。このため、稜部ＲＧ１の直上に導かれる光の量が低減され、明線の発生を抑制することができる。また、傾斜角θ３２が大きい形状の接続部Ｐ３は、光拡散層ＤＰで拡散された光を散乱させる。これにより、再び光拡散層ＤＰに向かう光の量が低減され、明線の発生を抑制することができる。
【００３８】
したがって、本実施形態の照明装置ＩＬによれば、輝度ムラの発生を抑制することができる。加えて、本実施形態の照明装置ＩＬを適用した表示装置ＤＳＰによれば、照明装置ＩＬの輝度ムラに起因した表示品位の劣化を抑制することができる。
【００３９】
図８は、図５のＡ−Ｃ線で切断した仕切り部材ＰＴの一構成例を示す断面図である。図示した構成例は、稜部ＲＧ１と稜部ＲＧ２とが異なる断面形状を有する場合に相当する。図示した例では、稜部ＲＧ１は、側面Ｐ１１及びＰ２１を接続する接続部Ｐ３からなる断面形状を有し、稜部ＲＧ２は、側面Ｐ２２及びＰ４１を接続する接続部Ｐ４からなる断面形状を有する。稜部ＲＧ１の基準面Ｒｆ１からの高さＨ１は、稜部ＲＧ２の基準面Ｒｆ１からの高さＨ２とは異なり、図示した例では、高さＨ１は高さＨ２よりも高い。また、稜部ＲＧ１を形成する接続部Ｐ３は、図７の一点鎖線で示した通り、傾斜角θ３２が傾斜角θ１１よりも大きい場合に相当し、稜部ＲＧ２を形成する接続部Ｐ４は、図７の実線で示した通り、傾斜角θ３１が傾斜角θ１１よりも小さい場合に相当する。
【００４０】
図５に示したように、各光源を囲む稜部ＲＧ１及びＲＧ２のそれぞれの部分の長さが異なる構成では、光源から出射された光の第１方向Ｘへの広がり度合いと、第２方向Ｙへの広がり度合いとが異なる場合があり、第１方向Ｘに隣接する光源間の境界と、第２方向Ｙに隣接する光源間の境界とでは、一方で暗線が発生し、他方で明線が発生するようなモードが生じ得る。このようなモードに対しては、図８に示した構成例が有効である。例えば、稜部ＲＧ１の直上で明線が発生し、稜部ＲＧ２の直上で暗線が発生するモードに対して、稜部ＲＧ１を形成する接続部Ｐ３は光源ＬＳ２から出射された光を遮り且つ拡散させることで明線を抑制し、また、稜部ＲＧ２を形成する接続部Ｐ４は光源ＬＳ２から出射された光をその直上に導くことで暗線を抑制することができる。したがって、輝度ムラの発生を抑制することができる。
【００４１】
図９は、図５のＡ−Ｂ線で切断した仕切り部材ＰＴの他の構成例を示す断面図である。図９は、図７に示した構成例と比較して、接続部Ｐ３が２以上の平面で形成された点で異なっている。  
図示した構成例は、接続部Ｐ３は、第１面Ｐ３１、第２面Ｐ３２、第３面Ｐ３３を有している。第１面Ｐ３１、第２面Ｐ３２、第３面Ｐ３３は、平面である。第１面Ｐ３１は、側面Ｐ１１に接続され、側面Ｐ１１とは傾斜角が異なる平面である。第３面Ｐ３３は、側面Ｐ２１に接続され、側面Ｐ２１とは傾斜角が異なる平面である。第２面Ｐ３２は、第１面Ｐ３１及び第３面Ｐ３３に接続されている。これらの側面Ｐ１１及びＰ２１、及び、接続部Ｐ３は、同一材料によって形成され、それぞれ同等の反射率を有する反射面を形成している。なお、接続部Ｐ３は、側面Ｐ１１及びＰ２１とは異なる材料によって形成されても良いし、側面Ｐ１１及びＰ２１と反射率が異なっていても良い。  
このような構成例においても上記したのと同様の効果が得られる。
【００４２】
図１０Ａは、図５のＡ−Ｂ線で切断した仕切り部材ＰＴの他の構成例を示す断面図である。図１０Ａは、図７に示した構成例と比較して、接続部Ｐ３が曲面と平面との組み合わせによって形成された点で異なっている。
図示した構成例では、第１面Ｐ３１及び第３面Ｐ３３は、曲面であり、第２面Ｐ３２は、平面である。なお、後述するが、第１面Ｐ３１及び第３面Ｐ３３は、下方に向かって窪んだ凹面であるが、上方に向かって突出した凸面であっても良い。また、図示した例では、第２面Ｐ３２は、第１面Ｐ３１及び第３面Ｐ３３を接続しているが、第２面Ｐ３２を省略して第１面Ｐ３１及び第３面Ｐ３３が直接接続されていても良い。  
このような構成例においても上記したのと同様の効果が得られる。
【００４３】
図１０Ｂは、図５のＡ−Ｂ線で切断した仕切り部材ＰＴの他の構成例を示す断面図である。図１０Ｂは、図１０Ａに示した構成例と比較して、第１面Ｐ３１及び第３面Ｐ３３が、上方に向かって突出した凸面である点で異なっている。
図１０Ａに示した例と同様に、図示した構成例では、第１面Ｐ３１及び第３面Ｐ３３は、曲面であり、第２面Ｐ３２は、平面である。また、図示した例では、第２面Ｐ３２は、第１面Ｐ３１及び第３面Ｐ３３を接続しているが、第２面Ｐ３２を省略して第１面Ｐ３１及び第３面Ｐ３３が直接接続されていても良い。
このような構成例においても上記したのと同様の効果が得られる。
【００４４】
図１１は、図５のＡ−Ｂ線で切断した仕切り部材ＰＴの他の構成例を示す断面図である。図１１は、図７に示した構成例と比較して、仕切り部材ＰＴが調光部ＤＭ１を備えている点で相違している。  
図示した例では、仕切り部材ＰＴは、側面Ｐ１１及びＰ２１を繋ぐ上面ＵＳを有している。上面ＵＳは、Ｘ−Ｙ平面に沿った平面であり、表示パネルＰＮＬ及び光拡散層ＤＰと対向している。調光部ＤＭ１は、上面ＵＳに位置している。図示した例では、調光部ＤＭ１は、上面ＵＳの全面に位置している。この場合、接続部Ｐ３は、調光部ＤＭ１の表示パネルＰＮＬと対向する側の面に相当し、側面Ｐ１１及びＰ２１とを接続している。図示した例では、接続部Ｐ３は、調光部ＢＭの曲面に相当する。なお、調光部ＤＭ１は、上面ＵＳの一部に位置していても良い。
【００４５】
図１１に示す構成例においては、調光部ＤＭ１は、光拡散性を有する光拡散部材である。例えば、調光部ＤＭ１は、半透明な樹脂材料、あるいは、透明な母材に散乱体を分散した樹脂材料などによって形成されている。つまり、接続部Ｐ３は、光拡散部材によって形成されている。すなわち、側面Ｐ１１及びＰ２１は接続部Ｐ３とは異なる材料によって形成され、側面Ｐ１１及びＰ２１の反射率は接続部Ｐ３の反射率とは異なっている。また、光拡散部材である調光部ＤＭ１のヘイズ値は、光拡散層ＤＰのヘイズ値より小さい。
【００４６】
このように、調光部ＤＭ１が上面ＵＳに配置されることで、光源ＬＳからの出射光が調光部ＤＭ１に入射することで適度に拡散され、局所的に光が集光されることによる明線の発生を抑制することができる。また、光拡散層ＤＰで拡散された光が調光部ＤＭ１に入射することで適度に散乱させる。これにより、上面ＵＳでの正反射が抑制され、再び光拡散層ＤＰに向かう光の量が低減され、明線の発生を抑制することができる。なお、接続部Ｐ３は、光を拡散させるために粗面に形成されていてもよい。
【００４７】
図１２は、仕切り部材ＰＴの他の構成例を示す分解斜視図である。  
図１２に示した例では、稜部ＲＧ１及びＲＧ２は、それぞれ凹部ＣＣ及び凸部ＣＶを有している。稜部ＲＧ１及び稜部ＲＧ２の凹部ＣＣは、稜部ＲＧ１と稜部ＲＧ２との交差部に位置している。
【００４８】
図１３は、図５のＤ−Ｅ線で切断した仕切り部材ＰＴの他の構成例を示す断面図である。図１３は、仕切り部材ＰＴが図１２に示した形状である場合に、Ｄ−Ｅ線に沿って仕切り部材ＰＴを切断した稜部ＲＧ２の断面に相当するが、相対的な位置関係を示すために、光源ＬＳ１及びＬＳ２や導光部の側面Ｐ１１及びＰ１３などを点線で図示している。図示したように、稜部ＲＧ２は、凹部ＣＶ及び凸部ＣＣを有している。一例では、凸部ＣＶは、隣接する凹部ＣＣの間の中間の位置で最も突出し、光拡散層ＤＰに接近している。なお、ここでは、稜部ＲＧ２の断面について説明するが、稜部ＲＧ１の断面も図示した例と同様である。
【００４９】
このように、稜部ＲＧ１及びＲＧ２の交差部に凹部ＣＣが形成されることにより、各光源からの出射光が交差部の直上の位置に到達するため、交差部において暗線の発生を抑制することができる。
【００５０】
図１４は、図５のＡ−Ｂ線で切断した仕切り部材ＰＴの他の構成例を示す断面図である。図１４は、図１１に示した構成例と比較して、調光部ＤＭ２が異なっている。
【００５１】
調光部ＤＭ２は、上面ＵＳに位置している。図示した例では、調光部ＤＭ２は、上面ＵＳから光源ＬＳ１及びＬＳ２と対向する位置に延在したシート部材である。図１４に示す構成例においては、調光部ＤＭ２は、光拡散性を有する光拡散部材である。また、光拡散部材である調光部ＤＭ２のヘイズ値は、光拡散層ＤＰのヘイズ値より小さい。
【００５２】
このように、シート部材である調光部ＤＭ２が配置されたことにより、光源ＬＳからの出射光は、調光部ＤＭ２内を伝播し、仕切り部材ＰＴの上面ＵＳまで拡散される。つまり、暗線となり得る位置には光が導かれ、また、明線となり得る位置では光が拡散される。加えて、調光部ＤＭ２が光拡散層ＤＰのヘイズ値より小さいヘイズ値を有することにより、上面ＵＳでの正反射が抑制される。よって、稜部ＲＧ１及びＲＧ２において輝度ムラを抑制することができる。
【００５３】
図１５は、図５のＡ−Ｂ線で切断した仕切り部材ＰＴの他の構成例を示す断面図である。図１５は、図１１に示した構成例と比較して、調光部ＤＭ３が異なっている。
【００５４】
調光部ＤＭ３は、上面ＵＳに位置しており、光源ＬＳ１及びＬＳ２と対向する位置には延在していない。図１５に示す構成例においては、調光部ＤＭ３は、光拡散性を有する光拡散部材である。ここで、調光部ＤＭ３は、接続部Ｐ３として第１面Ｐ３１、第２面Ｐ３２、第３面Ｐ３３を有しているが、図１１に示した調光部ＤＭ１と同様に接続部Ｐ３が曲面であっても良い。つまり、接続部Ｐ３は、光拡散部材によって形成されている。すなわち、側面Ｐ１１及びＰ２１と、接続部Ｐ３とは、異なる材料によって形成され、側面Ｐ１１及びＰ２１の反射率と接続部Ｐ３の反射率とは異なっている。また、光拡散部材である調光部ＤＭ３のヘイズ値は、光拡散層ＤＰのヘイズ値より小さい。
【００５５】
このような構成とすることで、図１４に示したのと同様の効果を得ることができる。
【００５６】
図１６は、図５のＡ−Ｂ線で切断した仕切り部材ＰＴの他の構成例を示す断面図である。図１６は、図１５に示した構成例と比較して、調光部ＤＭ４が異なっている。
【００５７】
図１６に示す構成例では、調光部ＤＭ４は光吸収部材である。例えば、調光部ＤＭ４は、黒色の樹脂材料などによって形成可能であるが、上面ＵＳよりも低反射率の材料で形成されていれば良い。また、図示した例では、調光部ＤＭ４は、上面ＵＳの全面に位置しているが、上面ＵＳの一部に位置していても良い。また、調光部ＤＭ４は、接続部Ｐ３として第１面Ｐ３１、第２面Ｐ３２、第３面Ｐ３３を有しているが、図１１に示した調光部ＤＭ１と同様に接続部Ｐ３が曲面であっても良い。つまり、接続部Ｐ３は、光吸収部材によって形成されている。すなわち、側面Ｐ１１及びＰ２１と、接続部Ｐ３とは、異なる材料によって形成され、側面Ｐ１１及びＰ２１の反射率と接続部Ｐ３の反射率とは異なっている。
【００５８】
このように、光吸収部材としての調光部ＤＭ４が上面ＵＳに配置されることで、調光部ＤＭ４が光を吸収し、稜部ＲＧ１及びＲＧ２における明線の発生を抑制することができる。
【００５９】
図１７は、稜部ＲＧ１及びＲＧ２における調光部ＤＭ４の他の配置例を示す平面図である。図１７に示した配置例では、調光部ＤＭ４がドット状に形成されている。  
仕切り部材ＰＴの上面ＵＳは、平面視において、第１方向Ｘに延出した稜部ＲＧ１と、第２方向Ｙに延出した稜部ＲＧ２と、を備えており、これらの稜部ＲＧ１及びＲＧ２は互いに交差して格子状に形成されている。
【００６０】
図示した例では、調光部ＤＭ４は上面ＵＳにおいてドット状に配置されている。図１７の（ａ）に示した例においては、調光部ＤＭ４のドットは、稜部ＲＧ１及びＲＧ２においてほぼ均一な密度で配置されている。図１７の（ｂ）に示した例においては、調光部ＤＭ４のドットは、稜部ＲＧ１や稜部ＲＧ１及びＲＧ２の交差部よりも、稜部ＲＧ２において高密度に配置されている。
【００６１】
図１６に示した構成例で説明したように、調光部ＤＭ４は、光吸収部材によって形成されているため、明線が発生しうる位置には、より高密度にドット状の調光部ＤＭ４を配置することが望ましく、暗線が発生し得る位置には、調光部ＤＭ４を配置しないことが望ましい。このような場合を想定し、ドット状の調光部ＤＭ４は、稜部ＲＧ１及び稜部ＲＧ２の少なくとも一方に配置されていても良い。  
例えば、図１７の（ｂ）に示した例では、第１方向Ｘに隣接する光源ＬＳの間に位置する稜部ＲＧ２において、第２方向Ｙに隣接する光源ＬＳの間に位置する稜部ＲＧ１よりも明線が発生しやすい場合に相当し、稜部ＲＧ２において稜部ＲＧ１よりも高密度のドットが配置されている。
【００６２】
また、稜部ＲＧ１及びＲＧ２において輝度分布にグラデーションが生ずる場合、調光部ＤＭ４は、ドットの密度を連続的に変化させて配置されることが望ましい。つまり、ドット状に形成された調光部ＤＭ４は、周期的に密度が異なっていても良い。  
例えば、図１７の（ｂ）に示したように、第２方向Ｙに沿った稜部ＲＧ２上のドット密度に着目すると、稜部ＲＧ１との交差部においてはドット密度が疎であり、第１方向Ｘに隣接する光源ＬＳの間においてはドット密度が密である。
【００６３】
このような配置例においても、図１６を参照して説明したのと同様の効果が得られる。
【００６４】
図１８は、稜部ＲＧ１及びＲＧ２における調光部ＤＭ４の他の配置例を示す平面図である。  
図示した例では、調光部ＤＭ４は、ストライプ状に配置されている。調光部ＤＭ４は、ストライプ状の第１部分ＤＭ４１及び第２部分ＤＭ４２を有している。第１部分ＤＭ４１は、第１方向Ｘに沿って延出し、稜部ＲＧ１に配置されている。第２部分ＤＭ４２は、第２方向Ｙに沿って延出し、稜部ＲＧ２に配置されている。図示した例では、第１部分ＤＭ４１の第２方向Ｙに沿った幅Ｗ１１は、稜部ＲＧ１の第２方向Ｙに幅Ｗ１２より小さいが、稜部ＲＧ１の幅Ｗ１２と同等以下であれば良い。同様に、第２部分ＤＭ４２の第１方向Ｘに沿った幅Ｗ２１は、稜部ＲＧ２の第１方向Ｘに沿った幅Ｗ２２より小さいが、稜部ＲＧ２の幅Ｗ２２と同等以下であれば良い。第１部分ＤＭ４１及び第２部分ＤＭ４２は、稜部ＲＧ１及びＲＧ２の交差部において、交差している。
【００６５】
なお、稜部ＲＧ１及び稜部ＲＧ２の少なくとも一方においてストライプ状の調光部ＤＭ４が配置されていても良い。また、図示した例では、稜部ＲＧ１及び稜部ＲＧ２の各々において、１本の調光部ＤＭ４が配置されたが、複数本の調光部ＤＭ４が配置されても良い。また、第１部分ＤＭ４１及び第２部分ＤＭ４２は、それぞれ稜部ＲＧ１及び稜部ＲＧ２と平行に延出していたが、第１方向Ｘ及び第２方向Ｙとは異なる方向に延出していても良い。稜部ＲＧ１及び稜部ＲＧ２の各々に配置される調光部ＤＭ４の設置面積、本数、延出方向は、要求される明線の抑制効果に応じて適宜変更できる。
【００６６】
図１９は、稜部ＲＧ１及びＲＧ２における調光部ＤＭ４の他の配置例を示す平面図である。  
図示した例では、調光部ＤＭ４は、稜部ＲＧ１及びＲＧ２の全面に配置されている。これにより、稜部ＲＧ１及びＲＧ２の全面において明線の発生を抑制することができる。
【００６７】
図２０は、稜部ＲＧ１及びＲＧ２における調光部ＤＭ３及びＤＭ４の配置例を示す平面図である。調光部ＤＭ３は、図中に左下がり斜線で示され、調光部ＤＭ４は、図中に右下がり斜線で示されている。
【００６８】
調光部ＤＭ３は、稜部ＲＧ２に配置されている。調光部ＤＭ４は、稜部ＲＧ１に配置されている。このように、稜部ＲＧ１及びＲＧ２における明線の発生の抑制、又は、暗線の発生の抑制の目的に応じて、稜部ＲＧ１及びＲＧ２に異なる調光部を配置することが可能である。
【００６９】
なお、上記した調光部ＤＭ１乃至ＤＭ３も、調光部ＤＭ４と同様に、稜部ＲＧ１及びＲＧ２の少なくとも一部に位置していれば良い。
【００７０】
また、図１１、図１４乃至図２０に示したように、上面ＵＳに調光部が配置される構成例において、調光部は、上面ＵＳに貼られていても良いし、載置されていても良い。例えば、調光部がシート部材である場合、シート部材は、表示パネルＰＮＬと対向する側の面が粗面であっても良いし、シート部材が穴あき構造でも良い。また、調光部は、上面ＵＳに、塗布、蒸着、メッキ等の手法を用いて形成されていても良い。
【００７１】
図２１は、本実施形態における表示装置ＤＳＰの適用例を示す図である。図示した適用例の表示装置ＤＳＰは、車両等のフロントウインドウを投映用の投影面（スクリーン）ＳＣＲとして利用するヘッドアップディスプレイである。なお、投影面ＳＣＲは、フロントウインドウそのものに限定されるものではなく、他のコンバイナーが利用されても良い。
【００７２】
表示装置ＤＳＰは、照明装置ＩＬと、表示パネルＰＮＬと、光学系ＯＰと、投影部ＰＪと、を備えている。  
照明装置ＩＬは、上記の通り、表示パネルＰＮＬの裏面に配置された複数の光源を備え、表示パネルＰＮＬを照明する。照明装置ＩＬ及び表示パネルＰＮＬのそれぞれの詳細については、上述した通りであるため、説明を省略する。  
光学系ＯＰは、表示パネルＰＮＬから出射された光（表示光）を投影部ＰＪに案内する１つ以上のミラーを備えている。投影部ＰＪは、光学系ＯＰによって案内された光を投影面ＳＣＲに投影する。このような投影部ＰＪは、例えば凹面鏡が適用可能である。  
制御部１０は、上記の通り、画像データに基づいて表示パネルＰＮＬを駆動し、表示領域ＤＡに画像を表示させるとともに、サブ照明領域毎に必要な輝度を判断し、対応するサブ照明領域の光源を所定の輝度で点灯させる。これにより、表示装置ＤＳＰを利用するユーザ２００は、投影面ＳＣＲの前方に虚像２０１を視認することができる。
【００７３】
以上説明したように、本実施形態によれば、表示品位の劣化を抑制することが可能な表示装置を提供することができる。
【００７４】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。
【符号の説明】
【００７５】
ＤＳＰ…表示装置、ＤＡ１１、ＤＡ１２…サブ表示領域、ＰＮＬ…表示パネル、
ＩＬ…照明装置、ＬＳ１、ＬＳ２…光源、ＰＴ…仕切り部材、
Ｐ１１〜Ｐ１４、Ｐ２１〜Ｐ２４…側面、Ｐ３…接続部、θ１１、θ３、θ３１、θ３２…傾斜角、ＤＰ…光拡散層、ＲＧ１、ＲＧ２…稜部、ＵＳ…上面、ＤＭ１、ＤＭ２、ＤＭ３、ＤＭ４…調光部。
【図１】
2020118994.tif 000003
【図２】
2020118994.tif 000004
【図３】
2020118994.tif 000005
【図４】
2020118994.tif 000006
【図５】
2020118994.tif 000007
【図６】
2020118994.tif 000008
【図７】
2020118994.tif 000009
【図８】
2020118994.tif 000010
【図９】
2020118994.tif 000011
【図１０Ａ】
2020118994.tif 000012
【図１０Ｂ】
2020118994.tif 000013
【図１１】
2020118994.tif 000014
【図１２】
2020118994.tif 000015
【図１３】
2020118994.tif 000016
【図１４】
2020118994.tif 000017
【図１５】
2020118994.tif 000018
【図１６】
2020118994.tif 000019
【図１７】
2020118994.tif 000020
【図１８】
2020118994.tif 000021
【図１９】
2020118994.tif 000022
【図２０】
2020118994.tif 000023
【図２１】
2020118994.tif 000024